(57)【特許請求の範囲】
【請求項１】
入力した画像データに基づいて画像を用紙に印刷するプリント、
原稿を読み取りって得られた画像データに基づいて画像を用紙に印刷するコピー、
原稿を読み取って原稿の画像データを得るスキャン、及び、
原稿を読み取りって得られた画像データを、指定された送信先に送信するファクシミリの各処理が可能でありかつ表示手段を備えた処理装置であって、
前記各処理を実行する際の複数の態様各々の内容を、予め定められた内容であるデフォルトとは異なる他の内容に設定することを指示するための複数の指示ボタンを表示する、前記各処理に対応する表示領域を選択的に表示する第１の画面と、
前記プリントの実行を指示する複数のジョブ各々の優先順位を、予め定められた順位の内容であるデフォルトとは異なる他の内容に設定可能に、表示する第２の画面と、
を含む、前記処理装置による処理の各々異なる複数の種類の実行方法の内容を、予め定められた内容であるデフォルトとは異なる内容に設定するための複数の画面を選択的に切り替えて前記表示手段に表示することを指示するための複数のボタンと、
前記複数の画面を用いて設定されかつ前記デフォルトとは異なる他の内容を、前記デフォルトに戻すために、消去することを指示する消去ボタンと、
を備え、
前記各処理は、前記複数の画面を用いて前記他の内容が設定された場合には、前記デフォルトに戻され又は更に他の別内容に設定されるまで、該他の内容に従って実行され、
前記消去ボタンがオンされた場合に、前記複数の画面を用いて設定される内容の全てがデフォルトか否かを判断し、
前記複数の画面を用いて設定される内容の全てはデフォルトでないと判断された場合、前記表示手段に現在表示されている画面を用いて設定される内容がデフォルトか否かを判断し、
前記表示手段に現在表示されている画面を用いて設定される内容がデフォルトであると判断された場合、前記複数の画面の内、前記表示手段に現在表示されていない画面を用いて設定されている内容を一括してデフォルトに戻すことを指示する確認ボタンと該内容を一括してデフォルトに戻すことをしないことを指示する取り消しボタンとを表示する第４の画面を表示し、
前記確認ボタンがオンされた場合、前記複数の画面の内、前記表示手段に現在表示されていない画面を用いて設定されている内容を一括してデフォルトに戻す、
ことを特徴とする処理装置。
【発明の詳細な説明】
【０００１】
【発明の属する技術分野】
本発明は概して多機能プリントシステム用のユーザインタフェースに関し、より詳細には、複数の関連属性セットから成る一群における各属性セットを、ユーザ設定可能構成からデフォルト構成に変更させる、改良された方法に関する。
【０００２】
【従来の技術及び発明が解決しようとする課題】
多機能コピー機の利点の一つは、サルガド(Salgado）他に付与された米国特許第5,301,262号によって開示されているように、一つ又は複数のジョブセグメントを含む分配ジョブが展開されうるように、複数のサービスに関して一つのジョブをプログラムする機能にある。この２６２特許で開示されているように、各ジョブセグメントは、そのジョブを実行するのに必要とされる適切な入力及び出力を定義するジョブチケットを用いてプログラムされる。一つの例において、ユーザは、一枚のドキュメントコピーがホスト多機能プリントマシンの出力で提供され、もう一枚のドキュメントコピーがホスト多機能プリントマシンから離れたところに送信されるファクシミリであるように、コピーセグメントとファックスセグメントとの両方を有するジョブをプログラムすることができる。既知のように、各ジョブセグメントのプログラミングは一つ又は複数のプログラム可能なダイアログを用いて達成されることが好ましく、そのプログラム可能なダイアログはそれぞれ「ジョブチケット」と称される。各プログラム可能なダイアログは、ドキュテック・プロダクション・パブリッシャ（DocuTech Production Publisher ）(１３５型）（「ドキュテック」はゼロックス社（Xerox Corporation）の登録商標）に備えられるユーザインタフェースのようなユーザインタフェースで選択される値を含む。ジョブチケットは構造、機能性共、非常に多種多様となりうる。一つの例において、ジョブチケットは液晶表示装置（「ＬＣＤ」）上に表示される比較的単純なダイアログの形を取ってもよい。所望の画像処理、指定されたストック及び仕上げ特性などの対応するジョブの属性は、例えば、ストックサイズなどの適切な出力値の設定のために表示されてもよい。
【０００３】
ジョブのためのプログラミングは比較的複雑になりうるので、複数のフレームに対応する複数のジョブチケットを提供することが望ましい場合がしばしばある。実際には、各ダイアログはストック特性などのジョブ特性の１セットのプログラミングに関連する。
【０００４】
ハーセグ(Herceg）他に付与された米国特許第5,079,723号は、メッセージ領域、ユーザインタフェース状態選択及び複数のタブを付けたファイルフォルダを提供する表示装置を備えたタッチ制御ＣＲＴ画面を用いて複写機をプログラムするための、タッチ式ダイアログ型ユーザインタフェースを開示している。各ファイルフォルダは開かれると、次には、隣接するワーク域を有するタブを付けたカードのより小さなカードファイルを表示する。カードファイルの各カードは開かれると、タッチ選択用の第１レベルマシンプログラミング選択を表すアイコンを表示する。各アイコンは触れられると（タッチされると）、タッチ選択用のワーク域に第２レベルプログラミング選択を表す次のアイコンを表示する。
【０００５】
上記の議論から理解することができるように、所与のジョブは複数のジョブチケットと関連づけられることができ、これらのジョブチケットはそれぞれ、特定のユーザに固有の１セットの属性値を含むことができる。いろいろな場合に、ユーザはこれらの値を「消去」しようとしてもよい。従来型の「光レンズ」コピー機において、全てのプログラム可能な値がデフォルト状態に戻るようにこの消去機能が自動的に実行されてもよい。これと同じ種類の消去機能は、より高性能なドキュテック・プロダクション・パブリッシャにおいても使用可能である。
【０００６】
しかし、ドキュテック・プロダクション・パブリッシャにおいて、ジョブプログラミング画面と共に提供される消去ボタンが使用可能であることは、所与のジョブに関連する画面全てではなく、そのジョブのプログラミング値と特に関連する画面を消去することであると考えられている。従って、ジョブ又はマシン状況と関連するダイアログなどの一定の他のダイアログは、消去ボタンの選択により消去されない。複数レベルで容易に消去されることができないユーザインタフェースを有する多機能プリントシステムを提供することは不利であろう。同時に、ユーザからの適切な入力又は確認なしにダイアログの全てを消去することは望ましくないであろう。従って、多機能プリントマシンユーザインタフェースに消去ボタンを設け、適切なユーザ入力を条件として所与のジョブに関連する全てのダイアログが消去されることは望ましいであろう。
【０００７】
既知のように、多機能プリントマシンは、ページバッファにジョブの部分を電子的にパーコレート（引き上げ）することによってジョブを処理するのに有利に用いられることができる。一つの例において、「片面（シンプレックス）から両面（デュプレックス）」又は「両面から両面」動作を実行するために、ジョブの部分はページバッファに記憶される。そのような動作を実行するためにシステムメモリに電子ページを配置する一例が、ハマー(Hammer）他に付与された米国特許第5,535,312号によって開示されている。
【０００８】
別の例において、補足又は「組込み」ジョブを生成するために、複数のジョブの部分が多機能プリントマシンに提供されることができる。米国特許第5,081,494号のジョブ補足方法は、フーブ(Hube)に付与された米国特許第5,243,381号において下記のように説明されている。
実際には、ジョブ補足は、ジョブがプリントシステムに走査されているときにそのジョブを補足するのに用いられる。つまり、ジョブ補足モードが使用されている場合、どんな数の付加的なドキュメント又はドキュメントのグループも、走査されているジョブと共に走査されることができる。スキャナでジョブが補足されると、「ジョブ終了」アイコンが選択され、補足されたジョブはプリントシステムのメモリセクションに記憶される。
補足されたジョブをコンパイルするために、ネットワーク上の種々の記憶位置から対象となるプリンタへジョブセグメント（本明細書中では「ジョブの部分」と称される）が引渡されうるという点で、サルガドに付与された米国特許第5,579,087号を通して、ジョブ補足の概念はネットワーク環境に拡張されている。
【０００９】
ユーザが一つ又は複数のジョブの部分をページバッファに記憶するが、記憶された対応する画像データから出力を生成しないことに決定する状況が生ずることは理解される。このことは、ユーザが進行中のジョブをそのままにし、記憶された画像データを削除しそこなうこともあるので、「ウォークアップ（安価な）」プリントマシンにはとりわけ不利になりうる。次に、次のユーザが設定を消去しようとすると、そのユーザは自分の出力の初めに、余分な無駄なプリントがあるのを発見することもある。ページバッファ又はシステムメモリに今なお記憶されている一つ又は複数のジョブの部分に対し「全消去」制御が利用可能にされる場合はいつでもページバッファを任意に「空にする」、消去システムを提供することは望ましいであろう。
【００１０】
【課題を解決するための手段】
本明細書で開示される発明の第１の態様によると、表示画面を有するユーザインタフェースを用いてプリントシステムにおける属性値を変更する方法が提供される。第１セットの属性値を有する第１ユーザダイアログ及び第２セットの属性値を有する第２ユーザダイアログは、選択的な表示のために表示画面上に提供される。第１セットの属性値は第１ユーザ設定可能構成から第１デフォルト構成へ変更可能であり、第２セットの属性値は第２ユーザ設定可能構成から第２デフォルト構成へ変更可能である。ユーザインタフェースは属性値を変更するためのユーザ起動可能領域を含み、その方法は（ａ）第１セットの属性値が第１ユーザ設定可能構成に置かれると、第１セットの属性値を第１ユーザ設定可能構成から第１デフォルト構成へ変更するためにユーザ起動可能領域を初めに起動するステップと、（ｂ）第２セットの属性値が第２ユーザ設定可能構成にあるのみならず選択されたユーザ情報もユーザインタフェースに提供されると、第２セットの属性値を第２ユーザ設定可能構成から第２デフォルト構成へ変更するためにユーザ起動可能領域を次に起動するステップと、を含む。
【００１１】
本明細書で開示される発明の第２の態様によると、表示画面を有するユーザインタフェースを用いてプリントシステムにおける属性値を変更する方法が提供される。第１セットの属性値を有する第１ユーザダイアログ及び第２セットの属性値を有する第２ユーザダイアログは、選択的な表示のために表示画面上に提供される。第１セットの属性値は第１ユーザ設定可能構成から第１デフォルト構成へ変更可能であり、第２セットの属性値は第２ユーザ設定可能構成から第２デフォルト構成へ変更可能である。ユーザインタフェースは属性値を変更するためのユーザ起動可能領域を含み、その方法は（ａ）第１セットの属性値が第１ユーザ設定可能構成に置かれると、第１セットの属性値が第１ユーザ設定可能構成から第１デフォルト構成へ変更されるようにユーザ起動可能領域を起動するステップと、（ｂ）前記（ａ）に応答して、第２セットの属性値が第２ユーザ設定可能構成にあるのみならず選択されたユーザ情報もユーザインタフェースに提供されると、第２セットの属性値を第２ユーザ設定可能構成から第２デフォルト構成へ変更するステップと、を含む。
【００１２】
【発明の実施の形態】
図面のうち図１を参照すると、好適な実施の形態に使用されるのに適するタイプのデジタルプリント装置が符号１で示されている。図示の通り、このシステムはドキュメントフィーダ２と操作（及び表示）パネル即ちユーザインタフェース３を含む。適切な表示装置の助けを借りて所望の条件が操作パネル３上で入力されたら、ドキュメントフィーダ２は画像読み取りデバイス４上の所定の読み取り位置へドキュメントを搬送し、ドキュメントが読み取られたら読み取り位置から送り出す。画像読み取りデバイス４は、画像読み取りデバイスの読み取り位置に搬送されたドキュメントを照射する。その結果ドキュメントから生じる反射光は、例えば、ＣＣＤ（電荷結合素子）画像センサなどの固体画像形成デバイスによって、対応する電気信号又は画像信号に変換される。画像形成デバイス５は、電子写真、感熱、熱転写、インクジェット又は同様の従来型のシステムによって、画像信号で表された画像を普通紙又は感熱紙の上に形成する。
【００１３】
用紙が用紙カセット８のいずれか一つから画像形成デバイス５へ供給されると、デバイス５は用紙の片面に画像を形成する。両面コピー装置６は、片面に画像を有する用紙を裏返し、再び画像形成デバイス５へ供給する構成となっている。その結果、画像は用紙のもう一面にも形成され、両面コピーを完成する。両面コピー装置６は慣習的に、用紙を直ちに再供給するか、又は一枚づつ積み重ねられた複数の用紙を一番下の用紙から一番上の用紙まで順次に再供給するように設計されている。画像形成デバイス５から排出された用紙又は両面コピーは、出力デバイス７によってページ順に又はページごとに順次ソート（分類）される。
【００１４】
アプリケーションは共通に９で示され、コピー機システムに組み込まれる資源であるドキュメントフィーダ２、操作パネル３、画像読み取りデバイス４、画像形成デバイス５、両面コピー装置６、出力デバイス７及び用紙カセット８を共用する。後に見られるように、アプリケーションはコピー機アプリケーション、プリンタ（ＩＯＴ）アプリケーション、ファクシミリ（ファックス）アプリケーション及びその他のアプリケーションを含む。加えて、デジタルコピー機システムは従来型のネットワーク接続部１１を介してネットワークと結合されている。
【００１５】
図２を参照すると、多機能ネットワーク適応プリントシステムが符号１０で示されている。プリントシステム１０は、ネットワークサービスモジュール１４と動作的に結合されたプリントマシン１を含む。プリントマシン１は、ビデオ制御モジュール（ＶＣＭ）と称されスキャナ１８及びプリンタ２０と通信する電子サブシステム１６を含む。一つの例において、サルガドに付与された米国特許第5,579,447号で詳細に説明されその開示が本明細書中で参照文献として援用されるＶＣＭ１６は、デジタルコピー構成のスキャナ及びプリンタの動作をコーディネートする。デジタルコピー構成において、スキャナ１８（画像入力端末装置（ＩＩＴ）とも称される）はＣＣＤ全幅アレイを用いて原稿上の画像を読み取り、蓄積されたアナログビデオ信号をデジタル信号に変換する。次に、スキャナ１８と関連している画像処理システム（図示せず）が信号修正等を実行し、修正された信号を多レベル信号（例えば、２進信号）に変換し、その多レベル信号を圧縮し、好ましくはその多レベル信号を電子事前照合機（図示せず）に記憶する。
【００１６】
再び図２を参照すると、プリンタ２０（画像出力端末装置（ＩＯＴ）とも称される）はゼログラフィック（電子写真）プリントエンジンを含むことが好ましい。一つの例において、プリントエンジンは、同期ソース（例えば、レーザラスタ出力走査デバイス）又は非同期ソース（例えば、ＬＥＤ印字バー）などの画像形成ソースで書き込まれるマルチピッチベルト（図示せず）を有する。プリントの流れでは、画像形成ソースが画像データに従ってオン・オフされる間、複数レベル画像データがＥＰＣメモリから読み出され、受光体（フォトレセプタ）上に潜像を形成する。次に潜像は、例えば、ハイブリッドジャンピング現像法で現像され、プリント媒体シートに転写される。その結果生じるプリントをフューズ（定着）したら、両面コピーのために反転されてもよいし、そのまま出力されてもよい。このプリンタが、開示される実施の形態が基づく概念を変えずに、ゼログラフィックプリントエンジン以外の他の形態を取りうることは当業者に理解されるであろう。例えば、プリントシステム１０はサーマルインクジェット又はイオノグラフックプリンタを備えることができる。
【００１７】
図３を参照すると、ネットワークサービスモジュール１４が更に詳細に論じられる。当業者には認識されるであろうが、ネットワークサービスモジュールのアーキテクチャは、既知の「ＰＣ互換機」のアーキテクチャと類似している。より詳細には、一つの例において、コントローラ２４はサンマイクロシステムズ社（Sun Microsystems, Inc.）によって製造されるスパーク（ＳＰＡＲＣ）プロセッサの形態を取り、標準Ｓバス（ＳＢｕｓ）２６に結合されている。図３の図示された実施の形態において、ダイナミックＲＡＭ（ＤＲＡＭ）の形態を取ることが好ましいホストメモリ２８及び、スカジー（ＳＣＳＩ）ディスク駆動デバイス３０は、Ｓバス２６と動作的に結合されている。図３には示されないが、記憶装置又は入出力（Ｉ／Ｏ）デバイスは適切なインタフェースチップを用いてＳバスに結合されることができる。図３において更に示されるように、Ｓバスは適切なネットワークインタフェース３６を介してネットワーク３４と結合されている。一つの例において、このネットワークインタフェースは、コントローラ２４のハードウエア及び／又はソフトウエア構成要素とネットワーク３４のハードウエア及び／又はソフトウエア構成要素を関連させるのに必要なハードウエア及びソフトウエアを全て含む。例えば、ネットワークサービスモジュール１４とネットワーク３４との間の種々のプロトコルをインタフェースするために、ネットワークインタフェースはソフトウエアの中でもノヴェル社（Novell Corp.）のネットウエア（Netware、登録商標)を備えることができる。
【００１８】
一つの例において、ネットワーク３４はエミッタ又はドライバ４０を備えるワークステーション３８のようなクライアントを含む。動作中、ユーザは複数の電子ページ及び１セットの処理命令を含むジョブを生成してもよい。次に、エミッタを使用してジョブはポストスクリプト（PostScript）のようなページ記述言語で書かれる表現に変換される。このジョブは次にコントローラ２４に送信され、そこでアドビ社（Adobe Corporation）によって提供されるようなデコンポーザで翻訳される。
【００１９】
ここで図４を参照すると、図１に示される操作パネルが更に詳細に説明される。特に、操作パネルは表示領域１００及び一組の経路選択ボタン１０２を含む。操作パネルは更に消去ボタン１０４を含むが、この消去ボタンは図４の図示された実施の形態に示されるような「ハード」ボタンとして、又は表示領域１００に配置される「ソフト」ボタンとして、備えることができる。消去ボタン１０４の更に詳細な説明は下記に提供される。
【００２０】
図４から図７を参照すると、表示領域１００は複数のラインを含む（例えば、図４に示されるメッセージの４本のライン参照）メッセージ表示領域１０６と、経路表示領域１０８とに分けられる。「経路」はシステム機能の個々の面に対応する1セットの情報又は設定であることを認識されたい。好ましくは、第一経路は「機能」に、第二経路は「ジョブ状況」に、そして第三経路は「マシン状況」に提供される。図５に図示されるように、機能経路は所与のジョブセグメント又はジョブタイプに関連した属性値と関連してもよい。典型的な多機能プリントマシンにおいて、ジョブセグメントは「コピージョブ」、「プリント（ローカル又はネットワーク）ジョブ」、「ファクス（送信及び受信）ジョブ」、「ファイルするための走査ジョブ」、「テストジョブ」などを含む。
【００２１】
この結果、あるジョブに特有の属性値が機能経路を用いて設定可能であり、所与のジョブタイプがメモリ２８及び３０（図３）の一つに記憶されている一つ又は複数のダイアログにマッピングされる、ということになる。図５の例において、ファックス属性値を設定することに特有のダイアログは、「ファックス」ボタンを押す又は使用可能にすることによって得られることができる。加えて、図８に示されるように、下記でその有意性が更に詳細に説明される「ジョブ組込み」機能が、ジョブの複数の部分を単一のジョブに結合するために提供される。
【００２２】
図６に図示されるように、ジョブ状況経路はシステム内でキュー（待ち行列）に入れらているジョブに関する情報又は設定に関連する。このような情報は、特に「ジョブ名」、「ジョブタイプ」、「ジョブ所有者」、「現在のジョブ状況」及び「優先順位」に関連してもよい。図６に示されるように、ジョブ状況経路はシステムユーザが個々のジョブのシステム内の進行を追跡することを可能にする。図７で図示されるように、マシン状況経路は用紙カセット８（図１）の状況情報などの、選択されたジョブ処理サブシステムに関する情報に関連する。マシン状況経路が、典型的にはマシン機能のホストを制御する複数のダイアログを含むことが理解されるであろう。例えば、現像剤レベルは現像関連ダイアログ(図示せず）を用いて判断されることができる。
【００２３】
図４の図示された実施の形態において、所与の経路の選択された情報がボタン１１０、１１２及び１１４のうち一つを押すことによって表示される。特に、ボタン１１０は機能経路におけるダイアログを表示するために押され、ボタン１１２はジョブ状況経路におけるダイアログを表示するために押され、ボタン１１４はマシン状況経路におけるダイアログを表示するために押される。
【００２４】
ここで図４、図９及び図１０を参照すると、消去ボタン１０４を用いる一つの実施の形態が詳細に説明される。図９に示されるような消去ボタンの機能を正しく理解するために、共用の多機能プリントシステムのダイアログがデフォルト状態に構成されていることを理解することは重要である。このようにしてシステムユーザは設定を変更せずに所与のジョブを処理し、デフォルト設定に基づいて生成された出力を得ることができる。しかし典型的には、システムユーザは一つ又は複数の経路において設定を変更することを希望する。けれどもこの設定の変更は、次のユーザが一つの経路におけるダイアログを消去し、別の経路におけるダイアログを消去しない場合、「ウォークアップ」式の多機能プリントシステム環境においては次のユーザにとって望ましくない結果をもたらしうる。
【００２５】
図９の好適な方法において、システムユーザが消去ボタン１０４（このボタンは「ハード」又は「ソフト」ボタンとして構成されることができる）を押すと（ステップ１１８）、ステップ１２０で経路の設定の全てがデフォルト状態、即ち、構成であるか否かを判定する。設定の全てがデフォルト状態であると仮定すると、全ての設定が既にデフォルトであると示すメッセージがステップ１２２を介して提供される。しかし、経路の設定の一つがデフォルト状態でなければ、現在の経路、即ち、ボタン１０２を用いて可能にされる経路が、デフォルト構成であるか否かをステップ１２４で判定する。
【００２６】
現在の経路がデフォルトでなければ、現在の経路の設定は消去され（ステップ１２６）、デフォルトで設定されることができない経路はどれでも全て任意に消去する目的でステップ１２０へ戻る。図９及び図１０の両方を参照すると、（１）経路の一つが消去されない場合（質問１２０に否定判定）及び（２）消去されなかった経路が現在の経路（即ち、現在表示されている経路）でない場合（質問１２４に肯定判定）、確認ウィンドウ１３７が表示される（ステップ１２８）。図９及び図１０の図示された実施の形態に示されるように、システムオペレータは、確認ウィンドウ１３７において「確認」を選択することによって一つ又は複数の（現在の経路以外の）経路の設定を変更すること(ステップ１３２、１３４及び１３６）、又は「取消」を選択することによって単に確認ウィンドウを閉じること（ステップ１３２及び１３８）、のどちらかを行うことができる。いずれにしても、確認ウィンドウによって許可された動作はどちらも画像データを削除させない。
【００２７】
ここで図１１を参照すると、画像データの削除が望ましい場合があるいくつかの消去動作がある。特に、オペレータが対応するジョブを完成する前に設定を消去しようとする場合、部分的なジョブの画像データを削除することが望ましい場合がある。一つの例において、オペレータが片面から両面への又は両面から両面への１ページのハードコピーの、片面に対応する画像データを捕捉し、その後現在の経路の設定を消去することを決定することもある。もう一つの例においては、オペレータが「組込みジョブ」の生成に応じてジョブの部分を提供し、その後、そのジョブを完成するのに先立って、現在の経路の設定を消去しようとすることもある。組込みジョブの概念をより詳細に理解するためには、リード（Reed）他に付与された米国特許第5,081,494号及び上記のサルガドに付与された米国特許第5,579,087号の記述が参照される。
【００２８】
ここで図１１及び図１２を参照すると、一つのジョブ若しくはジョブの部分の捕捉又はコンパイルを完成する前に消去ボタンを押すという流れでの消去機能の行動が、更に詳細に説明される。図１１の図示された実施の形態のために、消去ボタンを押すのに続いて、組込みジョブ又は選択されたジョブの部分（例えば、片面から両面（「１から２」）又は両面から両面（「２から２」）原稿）のための画像データが捕捉されたか否かを判定する検査がステップ１４２で行われる。オペレータが図８の画面でジョブ完了の指示をしたのをコントローラ２４（図３）が検出できるので、所与の組込みジョブに関してそのジョブの終了に関する判定が容易に決定されることができる。加えて、１から２又は２から２原稿のために２つの画像が捕捉されたか否かを判定するシステムは一般的である。
【００２９】
図１１の質問１４２に対し判定が否定であると仮定されると、ステップ１４４では全ての経路の設定がデフォルトであるか否かを判定する。経路設定の全てがデフォルトであると仮定しても、必要に応じて、画像データを消去するサブルーチンへ移行する。種々の経路設定がデフォルトで設定されていてもジョブの部分の画像捕捉は不完全になりうるので、機能経路がデフォルトである場合さえも図１１の上記のサブルーチンへ移行されることを理解されたい。ステップ１４６では「全消去確認」画面が表示され（図１２のウィンドウ参照）、ステップ１４８ではオペレータはいかなる画像削除動作も取消す機会が与えられる。ステップ１４８に応答して、画像データがステップ１５０で削除されデフォルト経路へのリターンが実行される（ステップ１５２）か、又はステップ１５４で（取消し機能が可能にされた結果）ウィンドウが単に閉じられる。この説明から理解できるように、ステップ１５０で言及されているタイプの「現在のジョブの部分」は、特に、組込みジョブプロセス（図８参照）によって意図されるタイプの電子ページの一部又は複数ページのセグメントを具備することができる。
【００３０】
ステップ１４４に戻り経路設定のうち少なくとも一つがデフォルトでないと仮定すると、次にステップ１５８で現在表示されている設定がデフォルトであるか否かが判定される。現在の経路設定がデフォルトであると、次にステップ１４６へ移行し、オペレータの入力に応じて上述のサブルーチンの種々のステップが実行されることができる。これに反して、現在の経路の設定がデフォルトでなければ、次にステップ１６０で現在表示されている経路が機能経路か否かを判定する。現在表示されている経路が機能経路でなければ、次にステップ１６２で現在表示されている経路はリセットされる。さもなければ、ステップ１６４で「インテリジェントな（知的）」消去動作が実行される。つまり、現在表示されている経路はリセットされるが、組込みジョッブの第１セグメント（上記では第１の「部分」と称される）機能及び／又はプラテンデュプレックス走査の間に変更されるべきでない機能は、リセットされない。署名及びページ番号付けの領域はそれぞれ、変更されるべきでない機能を含んでもよい。
【００３１】
本明細書中で考察されるように、プリントシステム１０はネットワークサービスモジュール１４に設置されるオーディトロン（ａｕｄｉｔｒｏｎ）サービス（図示せず）と連係して任意に用いられる。一つの方法において、オーディトロンサービスはローカル又はネットワークのオペレータがプリントシステムにおける一つ又は複数のサービス（例えば、コピー、プリント及びファックスサービス）にアクセスすることを可能にし、少なくとも一つの意図されるモードにおいては、用いられている資源に関して課金がなされるプロセスにオペレータを導く。ここで図１３を参照すると、オーディトロンの使用に応じて消去機能を管理する方法が説明される。
【００３２】
オーディトロンが使用可能にされオペレータがそれに従ってログインすると、オペレータが全消去ボタンを押すのに応答して図１３の確認ウィンドウが表示される。確認ウィンドウは次を含む：
●全消去要求を取消して確認ウィンドウを閉じる、ツールバーの取消ボタン。
●選択されるとＵＩ（ユーザインタフェース）をリセットし（しかしユーザをオーディトロン課金からはログアウトさせない）ウィンドウを閉じる、「オーディトロン課金からログアウトしない」ボタン。
●選択されるとＵＩをリセットし、ユーザをオーディトロン課金からログアウトさせ、ウィンドウを閉じる「オーディトロンからのログアウト」ボタン。
●「オーディトロン課金からログアウトしない」及び「オーディトロンからのログアウト」ボタンに対応する２つの静的テキスト領域。
●選択オプションの説明のための動的テキスト領域。
【００３３】
特に図１３のウィンドウを参照すると、種々の意図される動作の事例を支援するために、次のタイプの説明メッセージが提供される。
●画像の捕捉なし：
左側のどちらかのボタンを使用可能にすると、（ａ）全経路におけるユーザプログラミングをリセットする；及び（ｂ）エントリ画面へ戻す。
●画像捕捉あり：
左側のどちらかのボタンを使用可能にすると、（ａ）現在のジョブのための走査された画像を削除する；（ｂ）全経路におけるユーザプログラミングをリセットする；及び（ｃ）エントリ画面へ戻す。
【００３４】
上記の属性値消去構成の数多くの機能は当業者には理解されるであろう。
【００３５】
第一に、それぞれが複数のダイアログを含む複数の経路を有するユーザインタフェースにおいて、好適な実施の形態に従うと、ユーザ設定可能属性値はデフォルト値に容易に変更されることができる（即ち、消去ボタンに2回単にタッチする又はクリックすることによって）。本明細書中で意図されるように、１回目のタッチ又はクリックは全てのジョブプログラミング属性値を消去し、必要があれば、2回目のタッチ又はクリックは他の全ての属性値を消去する。
【００３６】
関連する方法において、属性値の全てが１回のタッチ又はクリックで消去されることができる。より詳細には、全てのジョブプログラミング属性値がデフォルト状態の場合、消去ボタンの１回のタッチ又はクリックに応答してシステムは自動的に他の全ての属性値を消去する。
【００３７】
第二に、消去構成は「安全網」を有し、ユーザが希望する属性値以外の属性値を消去しないことを確実にする。つまり、一つの意図される消去プロセスは消去動作を始動させるのに2回のクリック又はタッチを用いるが、このプロセスはユーザがその消去を適切な確認画面で確認するまでは全ての属性値を消去しない。このようにして、ユーザが全てのプログラムされた属性値を、うっかり消去ボタンを複数回タッチ又はクリックしてしまうことによって消去することがない。
【００３８】
最後に、消去構成は一つ又は複数のジョブの部分が、ユーザがそのようなジョブの部分の実行を放棄することを決定した場合に、うっかりメモリ内に残されないことを確実にする。この状況は両面出力を生成する又は複数のジョブの部分から一つのジョブをアセンブルする（組み立てる）場合に生じうる。従って、消去構成は不要な画像データがメモリ内に残されることを防止する。
【図面の簡単な説明】
【図１】ネットワーク化されたプリント装置の斜視図である。
【図２】多機能ネットワーク適応プリントマシンを描写するブロック図である。
【図３】図２のプリントマシン用のネットワークコントローラのブロック図である。
【図４】図１に示される操作パネルの概略正面図である。
【図５】機能経路を表示するウィンドウを有する、図４の操作パネルの部分正面図である。
【図６】ジョブ状況経路を表示するウィンドウを有する、図４の操作パネルの部分正面図である。
【図７】マシン状況経路を表示するウィンドウを有する、図４の操作パネルの部分正面図である。
【図８】ジョブアセンブリダイアログを表示するウィンドウを有する、図４の操作パネルの部分正面図である。
【図９】一つの好適な実施態様における「消去」ボタンの動作を説明するフロー図である。
【図１０】操作パネルと共に表示される第１確認画面を有する、図４の操作パネルの部分正面図である。
【図１１】もう一つの好適な実施態様における「消去」ボタンの動作を説明するフロー図である。
【図１２】操作パネルと共に表示される第２確認画面を有する、図４の操作パネルの部分正面図である。
【図１３】操作パネルと共に表示される第３確認画面を有する、図４の操作パネルの部分正面図である。
【符号の説明】
３    ユーザインタフェース
１０    プリントシステム
１００    表示画面
【図１】
0004610030.tif 000002
【図２】
0004610030.tif 000003
【図３】
0004610030.tif 000004
【図４】
0004610030.tif 000005
【図５】
0004610030.tif 000006
【図６】
0004610030.tif 000007
【図７】
0004610030.tif 000008
【図８】
0004610030.tif 000009
【図９】
0004610030.tif 000010
【図１０】
0004610030.tif 000011
【図１１】
0004610030.tif 000012
【図１２】
0004610030.tif 000013
【図１３】
0004610030.tif 000014